(57)【要約】      （修正有）【課題】目詰まりを容易に解消すると共に、その目詰まりの解消時機を容易に判別する経済性に優れた貯水池のろ過装置を提供する。【解決手段】貯水池１の外部の透明なろ過筒１０の内部に通水性の仕切り板により区分した複数の分室を上下方向に設け、最下段の分室を除く残りの分室内に珪砂を収容し、珪砂の粒径は下段側の分室に至るに従い順次小さくし、最上段の分室の上端開口部の蓋体１６は着脱自在とし、揚水ホース２０、開閉弁１９を介して、最上段の分室上部の流入口に貯水池１内の貯水を水中ポンプ３０により通水し、貯水をろ過筒１０の分室内の珪砂中を下向きに通過させてろ過を行い不純物を除去し、ろ過後の清澄水は最下段の分室に接続した吐出ホース２９により貯水池１に戻す。珪砂の目詰まりの際は、揚水ホース２０を最下段の分室の排水口に接続してろ過筒１０内の下部より貯水をろ過筒１０内を上向きに通過させて珪砂を逆洗する。【選択図】図１
2008012408.tif 000002
【特許請求の範囲】
【請求項１】
貯水池の外部に設置された透明なろ過筒の内部に通水性を有する仕切り板によって区分された複数の分室を上下方向に設け、最下段の分室を除く残りの分室内に珪砂を収容すると共に、下段側の分室に至るに従って珪砂の粒径を順次小さくし、最上段の分室の上端開口を閉じる蓋体を着脱自在とし、その最上段の分室上部に形成された流入口に開閉弁の出口ポートを接続し、その開閉弁の入口ポートと前記貯水池内に置かれた水中ポンプの吐出口とを揚水ホースで接続し、最下段の分室に形成された排水口と３方弁の１つのポートを接続し、その３方弁の残りの２つポートのうち一方のポートに最下段の分室内に流れ落ちるろ過後の清澄水を貯水池に戻す吐出ホースを接続し、他方のポートに対して前記揚水ホースの排水側端部を接続可能とした貯水池のろ過装置。
【請求項２】
前記最上段の分室内に、流入口からその分室内に送り込まれる揚水の受取り用の通水性を有する受水槽を設け、その受水槽内に細かい砂を充填した請求項１に記載の貯水池のろ過装置。
【発明の詳細な説明】
【技術分野】
【０００１】
この発明は、鯉や鮒、金魚等の鑑賞魚の生育用池や浴槽、水槽等の貯水池の貯水をろ過する貯水池のろ過装置に関するものである。
【背景技術】
【０００２】
住宅の庭に作られた魚生育用の池は、風雨に曝される環境下にあるため、貯水内にごみ等の不純物が混入し易く、放置していると、貯水に濁りが生じて水質が悪化し、魚の成育に問題が生じる。
【０００３】
そのような問題を解決するため、水中ポンプの駆動により貯水を循環し、その循環路にろ過器を組込み、そのろ過器のフィルタにより貯水をろ過して不純物を取り除き、ろ過後の清澄水を池に戻して貯水の水質を一定に保つようにしている。
【発明の開示】
【発明が解決しようとする課題】
【０００４】
ところで、上記のような池の従来のろ過装置においては、繊維を絡めたフィルタを用いるようにしているため、フィルタが早期に目詰まりを起こし、また、その目詰まりも容易に解消することができないため、目詰まりが生じると新しいフィルタと交換する必要が生じ、経済性に問題があるばかりでなく、その交換も非常に手間がかかるという問題があった。
【０００５】
また、ろ過器内のフィルタの目詰まりの状態を外部から確認することができないため、交換時機を判別することができないという問題もあった。
【０００６】
この発明の課題は、目詰まりを容易に解消することができると共に、その目詰まりの解消時機を容易に判別することができるようにした経済性に優れた貯水池のろ過装置を提供することである。
【課題を解決するための手段】
【０００７】
上記の課題を解決するために、この発明においては、貯水池の外部に設置された透明なろ過筒の内部に通水性を有する仕切り板によって区分された複数の分室を上下方向に設け、最下段の分室を除く残りの分室内に珪砂を収容すると共に、下段側の分室に至るに従って珪砂の粒径を順次小さくし、最上段の分室の上端開口を閉じる蓋体を着脱自在とし、その最上段の分室上部に形成された流入口に開閉弁の出口ポートを接続し、その開閉弁の入口ポートと前記貯水池内に置かれた水中ポンプの吐出口とを揚水ホースで接続し、最下段の分室に形成された排水口と３方弁の１つのポートを接続し、その３方弁の残りの２つポートのうち一方のポートに最下段の分室内に流れ落ちるろ過後の清澄水を貯水池に戻す吐出ホースを接続し、他方のポートに対して前記揚水ホースの排水側端部を接続可能とした構成を採用したのである。
【０００８】
上記の構成からなるろ過装置において、水中ポンプを駆動すると、貯水池内の貯水が揚水されて流入口からろ過筒内に送り込まれ、分室内の珪砂間に形成された微小な隙間を流通して下段の分室内に順次流れ落ち、各分室内の珪砂間を流通する際に、貯水に含まれる不純物が捕捉、除去されてろ過され、ろ過後の清澄水が排水口から吐出ホースに流れて貯水池に戻され、貯水の水質低下を抑制することができる。
【０００９】
ここで、最上段の分室内に、流入口からその分室内に送り込まれる揚水の受取り用の通水性を有する受水槽を設け、その受水槽内に細かい砂を充填しておくことにより、揚水中に含まれる大きなごみを上記受水槽によって最初に捕捉することができるため、各分室内に収容された珪砂間の隙間が早期に目詰まりするのを防止することができる。
【００１０】
ここで、珪砂間が目詰まりすると、珪砂が変色して次第に黒くなる。このとき、ろ過筒は透明であるため、珪砂の色の変化から目詰まりを判別することができる。目詰まりが生じた際には、開閉弁から揚水ホースを外して３方弁に接続し、蓋体を取外した後、水中ポンプを駆動し、揚水を排水口に送り込み、ろ過筒の下端から上向きに流れる揚水によって珪砂を逆洗し、その逆洗水をろ過筒の上端開口からオーバフローさせる。
【発明の効果】
【００１１】
上記のように、この発明においては、水中ポンプの駆動によって貯水池の貯水を揚水し、その揚水を流入口からろ過筒内に送り込むことによって、その揚水をろ過することができるため、貯水に含まれる不純物を除去することができ、貯水の透明度の低下や水質の低下を抑制することができる。
【００１２】
また、ろ過筒内に複数の分室を上下方向に形成し、各分室内に収容された珪砂を、下段の分室に至るに従って順次細かくしたので、貯水を極めて効率よくろ過することができる。
【００１３】
さらに、ろ過筒を透明としたので、珪砂の目詰まりを外部から判別することができ、目詰まりが生じた際には、珪砂を逆洗することで目詰まりを解消することができるため、ろ材を交換する必要がなく、きわめて経済的である。
【発明を実施するための最良の形態】
【００１４】
以下、この発明の実施の形態を図面に基づいて説明する。図１に示すように、貯水池１の外部にはろ過筒１０が設置され、上記貯水池１の貯水中に水中ポンプ３０が置かれている。
【００１５】
図２に示すように、ろ過筒１０は、アクリル樹脂等の透明な材料で形成された複数の筒体１１を同軸上に配置し、各筒体１１の両端に設けられたフランジ１１ａをボルトおよびナットからなる締付け具１２の締付けにより連結した構成とされている。
【００１６】
ろ過筒１０の隣接する筒体１１のフランジ１１ａ間には、通水性を有する仕切り板１３の外周部が挟持されている。仕切り板１３として、ここでは、多孔性の板体を採用したが、メッシュの細かい網体を用いるようにしてもよい。その仕切り板１３の取付けによって、ろ過筒１０の内部に複数の分室１４が設けられ、最下部の分室１４を除く残りの分室１４内に珪砂１５が収容されている。
【００１７】
ここで、分室１４内に収容された珪砂１５は、下段側の分室１４内に至るに従って粒径が順次小さくなっている。
【００１８】
ろ過筒１０内に設けられた最上段の分室１４の上端開口は蓋体１６によって閉鎖されている。この蓋体１６はボルトおよびナットから成る締付け具１７により最上段の筒体１１の上側フランジ１１ａに取付けられて着脱自在とされている。
【００１９】
最上段の分室１４の上部には流入口１８が形成され、その流入口１８に開閉弁１９の出口ポート１９ａが接続されている。開閉弁１９の入口ポート１９ｂには揚水ホース２０の一端が接続され、その揚水ホース２０の他端は貯水池１の貯水内に置かれた前記水中ポンプ３０の吐出口に接続されている。
【００２０】
このため、水中ポンプ３０を駆動すると、貯水池１内の貯水は揚水されて流入口１８から最上段の分室１４内に送り込まれることになる。その最上段の分室１４内には、流入口１８から送り込まれる揚水の受取り用の受水槽２１が設けられている。
【００２１】
受水槽２１は多数の小孔２２が形成されて通水性を有し、内部には細かい砂２３が充填されている。
【００２２】
また、最上段の分室１４の上部には給水管２４が接続され、その給水管２４に給水弁２５が取付けられている。一方、最上段の分室１４の上部開口を閉塞する蓋体１６には、エア抜き弁２６が取付けられている。
【００２３】
最下段の分室１４の周壁には排水口２７が形成され、その排水口２７に３方弁２８の第１ポート２８ａが接続されている。３方弁２８の第２ポート２８ｂには最下段の分室１４内に流れ落ちるろ過後の清澄水を貯水池１内に戻す吐出ホース２９が接続され、また、３方弁２８の第３ポート２８ｃに対して、前記揚水ホース２０の排水端部が接続自在とされている。
【００２４】
実施の形態で示すろ過装置は上記の構造からなり、図１に示すように、水中ポンプ３０の吐出口と開閉弁１９の入口ポート１９ｂに揚水ホース２０が接続され、３方弁２８の第２ポート２８ｂに吐出ホース２９が接続された状態において、水中ポンプ３０を駆動すると、貯水池１の貯水は揚水ホース２０内に揚水されて、流入口１８からろ過筒１０の最上段の分室１４内に送り込まれる。
【００２５】
最上段の分室１４内に送り込まれた揚水は、受水槽２１内に流れ落ち、その内部に充填された砂２３によって揚水に含まれる大きなごみが最初に除去される。
このとき、受水槽２１内には細かい砂が充填されているため、通水性が悪く、その受水槽２１で受け取られた揚水の多くは受水槽２１の上縁をオーバフローして最上段の分室１４内に流れ落ちる。
【００２６】
分室１４内に流れ落ちた揚水は、その分室１４内の珪砂１５間に形成された微小な隙間を流通して下段の分室１４内に順次流れ落ち、各分室１４内の珪砂１５間を流通する際に、揚水に含まれる不純物が捕捉、除去されてろ過される。そして、清澄化された水が最下段の分室１４内に流れ落ち、排水口２７から吐出ホース２９に流れて貯水池１に戻される。
【００２７】
このように、水中ポンプ３０を駆動すると、貯水池１の貯水がろ過筒１０内に送り込まれて、そのろ過筒１０内の珪砂１５によりろ過され、ろ過後の清澄水が貯水池１に戻されるため、貯水の透明度の低下や水質の低下を抑制することができる。
【００２８】
また、ろ過筒１０内に形成された複数の分室１４のそれぞれには、下段の分室１４に至るに従って粒径が順次小さくなる珪砂１５が収容されているため、揚水に含まれる不純物は、大きな不純物から順に捕捉されることになり、貯水池１内の貯水を極めて効率よくろ過することができる。
【００２９】
実施の形態で示すように、最上段の分室１４内に、流入口１８からその分室１４内に送り込まれる揚水の受取り用の受水槽２１を設け、その受水槽２１に細かい砂を充填しておくことにより、揚水中に含まれる大きなごみを上記受水槽２１によって最初に捕捉することができるため、各分室１４内に収容された珪砂間の隙間が早期に目詰まりするのを防止することができる。
【００３０】
ここで、珪砂１５間が目詰まりすると、珪砂１５が変色して次第に黒くなる。このとき、ろ過筒１０は透明であるため、珪砂１５の色の変化から目詰まりを判別することができる。
【００３１】
目詰まりが生じた際には、開閉弁１９から揚水ホース２０を外して、図３に示すように、３方弁２８の第３ポート２８ｃに接続し、その第３ポート２８ｃと第１ポート２８ａとが連通するよう３方弁２８を切換え、かつ、蓋体１６を取外した後、水中ポンプ３０を駆動する。
【００３２】
上記水中ポンプ３０の駆動によって、貯水池１の貯水は揚水ホース２０内に揚水されて排水口２７に送り込まれ、ろ過筒１０内を下端から上向きに流れてろ過筒１０の上端開口からオーバフローし、上記ろ過筒１０内を上向きに流れる揚水によって珪砂１５が逆洗され、珪砂の目詰まりが解消される。
【００３３】
このように、ろ過筒１０を透明にすることにより、珪砂１５の目詰まりを外部から判別することができ、目詰まりが生じた際には、珪砂１５を逆洗することで目詰まりを解消することができるので、ろ材を交換する必要がなく、きわめて経済的である。
【００３４】
なお、貯水池1内の貯水の水位が低下した際には、給水弁２５を開放して、ろ過筒10内に給水する。その給水は、ろ過筒10内を下向きに流れて最下段の分室１４から吐出ホース２９に流れ、貯水池１内に供給されることになる。
【図面の簡単な説明】
【００３５】
【図１】この発明に係る貯水池のろ過装置の実施の形態を示す断面図
【図２】図１に示すろ過筒の断面図
【図３】ろ過筒内の珪砂の逆洗状態を示す一部切欠正面図
【符号の説明】
【００３６】
１      貯水池
１０    ろ過筒
１３    仕切り板
１４    分室
１５    珪砂
１６    蓋体
１８    流入口
１９    開閉弁
１９ａ  出口ポート
１９ｂ  入口ポート
２０    揚水ホース
２１    受水槽
２２    小孔
２７    排水口
２８    ３方弁
２８ａ  第１ポート
２８ｂ  第２ポート
２８ｃ  第３ポート
３０    水中ポンプ
【図１】
2008012408.tif 000003
【図２】
2008012408.tif 000004
【図３】
2008012408.tif 000005